(57)【要約】      （修正有）【課題】包装用容器内の物品の位置決めが容易におこなえる保持体を提供する。【解決手段】包装用容器内で複数の物品８１・８２の位置決めをする保持体１であって、保持体本体２１と、当該保持体本体２１に形成され、前記複数の物品８１・８２のうち第一の物品８１の位置決めをする第一支持部４と、一端部が前記保持体本体に固定される固定端部５１ａとされ、他端部が自由端部５１ｂとされる支持片５１を備え、当該支持片５１の周囲にある前記保持体本体２１とで前記複数の物品８１・８２のうち第二の物品８２を挟持して位置決めをする第二支持部５と、を備える。また、当該第二支持部５は、前記支持片５１と前記保持体本体２１とで前記第二の物品８２を位置決めした状態で、前記支持片５１の前記自由端部５１ｂが前記第一支持部４に位置決めされた前記第一の物品８１と接触することで、前記第二の物品８２を挟持した状態が維持される。【選択図】図７
0003182586.tif 000002
【実用新案登録請求の範囲】
【請求項１】
物品の位置決めをする保持体であって、
保持体本体と、
当該保持体本体に形成され、前記複数の物品のうち第一の物品の位置決めをする第一支持部と、
一端部が前記保持体本体に固定される固定端部とされ、他端部が自由端部とされる支持片を備え、当該支持片の周囲にある前記保持体本体とで前記複数の物品のうち第二の物品を挟持して位置決めをする第二支持部と、を備え、
当該第二支持部は、前記支持片と前記保持体本体とで前記第二の物品を位置決めした状態で、前記支持片の前記自由端部が前記第一支持部に位置決めされた前記第一の物品と接触することで、前記第二の物品を挟持した状態が維持される、保持体。
【請求項２】
請求項１に記載の保持体であって、
前記第二支持部は、
前記固定端部が前記第一支持部よりも外側に形成され、
前記自由端部が前記第一支持部に臨むように形成される、保持体。
【請求項３】
請求項１に記載の保持体であって、
前記第二支持部は、
前記固定端部が前記第一支持部よりも外側に形成され、
前記自由端部が前記固定端部よりも前記第一支持部から離して形成され、
前記固定端部側を折り曲げ、前記自由端部を前記第一支持部に移動し、
前記第二の物品を前記保持体本体と挟持する、保持体。
【請求項４】
請求項１から請求項３のいずれか一項に記載の保持体であって、
前記第一支持部は、前記保持体本体に打ち抜き又は切り込みにより形成される支持端部を有する、保持体。
【請求項５】
請求項４に記載の保持体であって、
前記保持体本体には、起立板が設けられ、
当該起立板を、前記第一支持部の支持端部よりも下方へと折り曲げ、当該支持端部の下方に空間を形成する、保持体。
【考案の詳細な説明】
【技術分野】
【０００１】
本考案は、保持体に関する。より詳細には、包装用容器内の物品の位置決めを容易に行える保持体に関する。
【背景技術】
【０００２】
従前より、箱など梱包材の内部における物品の位置決めするための保持体が公知となっている。例えば、特許文献１に示す保持体（収納板）は、板紙に切り込み線により基端部を除いて板紙から分離可能に設けられた帯状部と、この帯状部の基端部とは反対側の端部領域に配設された幅広の係止部を有する位置決め保持片を備えている。さらに、保持片の係止部を係止可能とする複数の係止位置を設けている。このように構成することで、支持部材の板紙から分離された帯状部で物品を巻き込み、さらに幅広の係止部で複数の係止位置の1つに係止することで、物品の位置決めを行っている。
【先行技術文献】
【特許文献】
【０００３】
【特許文献１】特開２００６−１３７４３８号公報
【考案の概要】
【考案が解決しようとする課題】
【０００４】
しかしながら、このような係止部材は、係止部を被係止部に係合してその物品を台紙に支持するため、係止作業に手数を要する。また、台紙に支持された物品を取り出すにあたって、その係止状態を解除する作業が煩雑となり、支持部材を開口部側の台紙から切り離すなどの作業をおこなわなければならない場合がある。
【０００５】
本考案は前記課題に鑑みてなされたものである。本考案の目的は、物品の位置決めが容易におこなえる保持体を提供することである。
【課題を解決するための手段】
【０００６】
本考案の解決しようとする課題は以上の如くであり、次にこの課題を解決するための手段を説明する。
【０００７】
即ち、第１の考案では、
複数の物品の位置決めをする保持体であって、
保持体本体と、
当該保持体本体に形成され、前記複数の物品のうち第一の物品の位置決めをする第一支持部と、
一端部が前記保持体本体に固定される固定端部とされ、他端部が自由端部とされる支持片を備え、当該支持片の周囲にある前記保持体本体とで前記複数の物品のうち第二の物品を挟持して位置決めをする第二支持部と、を備え、
当該第二支持部は、前記支持片と前記保持体本体とで前記第二の物品を位置決めした状態で、前記支持片の前記自由端部が前記第一支持部に位置決めされた前記第一の物品と接触することで、前記第二の物品を挟持した状態が維持される、
ことを特徴とする保持体とする。
【０００８】
第２の考案では、第１の考案であって、
前記第二支持部は、
前記固定端部が前記第一支持部よりも外側に形成され、
前記自由端部が前記第一支持部に臨むように形成される、
ことを特徴とする保持体とする。
【０００９】
第３の考案では、第１の考案であって、
前記第二支持部は、
前記固定端部が前記第一支持部よりも外側に形成され、
前記自由端部が前記固定端部よりも前記第一支持部から離して形成され、
前記固定端部側を折り曲げ、前記自由端部を前記第一支持部に移動し、
前記第二の物品を前記保持体本体と挟持する、
ことを特徴とする保持体とする。
【００１０】
第４の考案では、第１から第３の考案であって、
前記第一支持部は、前記保持体本体に打ち抜き又は切り込みにより形成される支持端部を有する、
ことを特徴とする保持体とする。
【００１１】
第５の考案では、第３の考案であって、
前記保持体本体には、起立板が設けられ、
当該起立板を、前記第一支持部の支持端部よりも下方へと折り曲げ、当該支持端部の下方に空間を形成する、
ことを特徴とする保持体とする。
【考案の効果】
【００１２】
本考案によれば、物品の位置決めが容易におこなえる保持体を提供することができる。
【図面の簡単な説明】
【００１３】
【図１】本考案の実施形態に係る保持体の展開図。
【図２】保持体を組み立てた状態の斜視図。
【図３】包装用容器に収納した状態の保持体の斜視図。
【図４】物品を収納する途中の保持体の斜視図。
【図５】物品を収納した状態の保持体の斜視図。
【図６】同じく平面図。
【図７】（ａ）図６におけるＡ−Ａ線断面図。（ｂ）（ａ）におけるＢ−Ｂ部拡大図。
【図８】保持体に位置決めされた物品が包装用容器に収納された状態をしめす斜視図。
【図９】別実施形態に係る保持体の展開図。
【図１０】同じく支持体を折り曲げた状態の平面図。
【考案を実施するための形態】
【００１４】
まず、本考案の一実施形態に係る保持体１について、図１から図８を用いて説明する。
【００１５】
保持体１は、図１に示す展開状態から組み立てて形成されるものであり、包装用容器９１内に収納して、包装用容器９１内に収納される食品や雑貨等の位置決めをおこなうものである。保持体１は、板紙、段ボール等の厚紙で形成されている。保持体１は、厚紙の他、樹脂素材を用いた板状部材等で形成してもよい。
【００１６】
以下では、説明を容易にするため、図１に示す上側を後側、下側を前側とし、他方を左右側とする。すなわち、図２では、図示右下側が前方となり、左上側が後方となる。また、上下方向は、保持体１を組み立てて、底板（前底板２４、後底板２５）を下にして載置した状態で底板側を下方とする。
【００１７】
図１に示す保持体１の展開図に従って、保持体１を構成する部分を説明する。図１は、組み立てられた保持体１の外側となる面を紙面手前側として示している。
【００１８】
保持体１は、主として保持体本体２１、前起立板２２、後起立板２３、前底板２４、後底板２５で構成されている。保持体本体２１は保持体１の上部を構成し、前起立板２２は保持体１の前部を構成し、後起立板２３は保持体１の後部を構成する。前底板２４は保持体１の前側の下部を構成し、後底板２５は保持体１の後側の下部を構成する。保持体本体２１の前側となる縁部（図示下側の縁部）には、前起立板２２が折目線３１を介して連設されている。保持体本体２１の後側となる縁部（図示上側の縁部）には、後起立板２３が折目線３２を介して連設されている。前起立板２２の下側となる縁部には、前底板２４が折目線３３を介して連設される。後起立板２３の下側となる縁部（図示上側の縁部）には、後底板２５が折目線３４を介して連設される。
【００１９】
保持体１には、物品の位置決めをするため物品を支持する第一支持部４、第二支持部５、第三支持部６、及び第四支持部７が設けられている。
【００２０】
第一支持部４は、第一の物品８１の位置決めをするために保持体１に形成される部分である。第一支持部４は、保持体本体２１に略円形の打ち抜きをすることで支持端部４１を形成して設けられている。なお、第一支持部４は、略円形に切り抜くことで支持端部４１を形成しているが、限定するものでなく、その形状を、矩形、三角形、その他の多角形としてもよい。また、第一支持端部は、完全に打ち抜くことなく、一部に切り込みを入れて折り曲げる等して形成してもよい。
【００２１】
第二支持部５は、第二の物品８２の位置決めをするために保持体１に形成される部分である。第二支持部５は、主として、支持片５１とその支持片５１の周辺の保持体本体２１によって構成されている。
【００２２】
支持片５１は、長方形に形成される帯状の部分であり、第一支持部４の支持端部４１の一部を分離する位置に設けられている。支持片５１の一端部は、固定端部５１ａとされ、第一支持部４の支持端部４１よりも外側に、折目線５２を介して保持体本体２１に連設されている。支持片５１の他端部は自由端部５１ｂであり、第一支持部４の収納空間側に臨むよう、自由端部５１ｂの一部である折目線５２から延設されている。さらに、支持片５１は、折目線５２の両端からそれぞれ支持端部４１に至るまで切り込み５３・５３が形成されている。つまり、支持片５１は、一端である折目線５２を除き、保持体本体２１と分離可能に形成されている。なお、支持片５１の形状は、長方形に限定するものではなく、自由端部５１ｂ側に向かうにつれて前後方向の幅が短くなるように形成するなど、他の形状としてもよい。
【００２３】
第三支持部６は、第三の物品８３の位置決めをするために保持体１に形成されている部分である。第三支持部６は、主として、保持体本体２１に円形の打ち抜きで支持端部６１を設けることで構成されている。
【００２４】
第四支持部７は、第四の物品８４の位置決めをするために保持体１に形成される部分である。第四支持部７は、主として、切り込み及び打ち抜きによって支持端部７１・７１及び支持片７２・７２を設けることで構成される。第四支持部７の支持端部は、平面視において、略四角形に形成される。この四角形の隣り合う二辺には、折目線７３・７３を介して支持端部の開口側へと延設される支持片７２・７２が連設される。この支持片７２・７２の自由端と四角形の残りの隣り合う二辺である支持端部７１・７１で囲まれた部分が打ち抜かれ、開口が形成される。
【００２５】
なお、第三支持部６及び第四支持部７は、保持体１に設けるように構成されているが限定するものでなく、第三支持部６及び第四支持部７は設けなくてもよい。さらに保持体１には、上記物品８１・８２・８３・８４とは異なる物品の位置決めをするための支持部を設けてもよい。
【００２６】
次に、保持体１を組み立てる場合について説明する。
【００２７】
図１及び図２に示すように、保持体本体２１、前起立板２２、後起立板２３、前底板２４及び後底板２５は、折目線３１・３２・３３・３４で山折りして折り曲げ、さらに、前底板２４及び後底板２５の自由端部どうしを重ね合わせて固定し、保持体１全体を筒状に形成する。
【００２８】
さらに、第四支持部７の支持片７２・７２は、折目線７３・７３で山折して折り曲げられ、支持片７２の自由端が前底板２４に接触し、支持片７２・７２が前底板２４に対して起立する。これで保持体１の組み立ては完了する。
【００２９】
図２及び図３に示すように、この組み立てが完了した保持体１は、下側の包装用容器９１に収納される。包装用容器９１に収納された保持体１は、包装用容器９１の内側面に接触することで、前起立板２２及び後起立板２３による前底板２４及び後底板２５に対する起立状態が安定する。
【００３０】
次に、物品８１・８２・８３・８４を各支持部４・５・６・７に収納して位置決めする場合について図３から図８を用いて説明する。なお、説明を容易とするため、図４から図７では、包装用容器９１を描いていないが、通常は、保持体１が包装用容器９１に収納された状態で、各物品８１・８２・８３・８４の位置決めをおこなう。
【００３１】
まず、第四の物品８４は、第四支持部７へと収納されて、包装用容器９１内の位置決めがなされる。つまり、第四の物品８４は、その底部が支持端部７１・７１及び折目線７３・７３よりなる開口から前底板２４に至るまで下方へと挿入される。すると、第四の物品８４は、その側面を支持端部７１・７１及び支持片７２・７２に接触させることで、水平方向の移動を阻止され、その底面を前底板２４に接触させることで、下方への移動を阻止される。
【００３２】
第三の物品８３は、第三支持部６へと収納されて、包装用容器９１内の位置決めがなされる。つまり、第三の物品８３は、その底部が支持端部６１から後底板２５に至るまで下方へと挿入される。すると、第三の物品８３は、その側面を支持端部６１に接触させることで、水平方向の移動を阻止され、その底面を後底板２５に接触させることで、下方への移動を阻止される。
【００３３】
第二の物品８２は、第二支持部５である支持片５１及びその支持片５１の周囲にある保持体本体２１により挟持されることで、包装用容器９１内の位置決めがなされる。具体的には、保持体本体２１と同一平面上にある支持片５１を、折目線５２で谷折りして支持片５１の自由端部５１ｂが保持体本体２１の上方に位置するように折り曲げる。すると、前面視において、保持体本体２１と支持片５１とに隙間が生じる。この隙間へと第二の物品８２を挿入し、第二の物品８２の上部を支持片５１で、第二の物品８２の下部を保持体本体２１で、接触させて挟持する。支持片５１は、その自由端部５１ｂを第一の物品８１の第一支持部４側に臨む位置する。この状態で、第一の物品８１は第一支持部４へと収納される。
【００３４】
第一の物品８１は、第一支持部４へと収納されて、包装用容器９１内の位置決めがなされる。つまり、第一の物品８１は、その底部が支持端部４１から前底板２４及び後底板２５に至るまで下方へと挿入される。このとき、図４に示すように、第二支持部５の一部である支持片５１は、第一の物品８１の底部に接触しながら押し下げられる。すると図７に示すように、支持片５１の自由端部５１ｂは、その上面であった面を第一の物品８１の側面と接触させている。このとき、支持片５１は、保持体本体２１とで第二の物品８２を挟持しているが、この挟持状態を解除する方向（矢印Ｃ参照）へと、紙の弾性力により移動しようとする。しかしながら、その移動を第一の物品８１が阻止しているため、支持片５１と保持体本体２１との挟持状態が安定することとなる。つまり、支持片５１の自由端部５１ｂが第一支持部に位置決めされた第一の物品８１と接触することで、第二の物品８２を挟持した状態が維持される。
【００３５】
図８に示すように、下側の包装用容器９１内に保持体１が収納され、さらに保持体１により包装用容器９１内に物品８１・８２・８３・８４が位置決めされた状態となる。そして、下側の包装用容器９１の開口を閉塞するように、上側の包装用容器９２を被せることで、物品８１・８２・８３・８４の包装用容器９１・９２への収納が完了する。
【００３６】
なお、本実施形態の保持体１は、包装用容器９１に収納した状態で用いられるものとしているが、限定するものでなく、保持体本体２１の左右端に、それぞれ起立板を連設し組み立てることで、いわゆるサック箱を形成し、飲食提供用のトレー等に用いられる自立可能な構成してもよい。
【００３７】
上記の如く、保持体１を構成することで、物品８１・８２・８３・８４の位置決めが容易におこなえ、特別な固定手段を設けることなく、第一の物品８１を収納するだけで、第二の物品８２の収納が安定した状態となる。
【００３８】
なお、支持片５１の延設方向（左右方向）の長さが、本実施形態の支持片５１よりも長く形成されていれば、支持片５１の自由端部５１ｂは、第一の物品８１と底板（前底板２４及び後底板２５）により挟持されることで固定され、より安定した挟持状態が可能となる。この支持片５１が第一の物品８１の底部と接触する長さは、挟持する第二の物品８２の大きさが大きければ大きいほど、前起立板２２及び後起立板２３の高さが高ければ高いほど短くなる。
【００３９】
本実施形態の保持体１は、保持体本体２１に前起立板２２及び後起立板２３が連設されていたが限定するものでなく、保持体本体２１のみで構成してもよい。また、保持体本体２１に前起立板２２及び後起立板２３が連設されているのみで、前底板２４及び後底板２５が設けられていない構成でもあってもよい。
【００４０】
また、第二の物品８２を第二支持部５より取出す際には、第一の物品８１を第一支持部４から取出し、支持片５１の自由端部５１ｂを開放すれば、取出すことができる。また、支持片５１を引き上げることによっても、支持片５１の自由端部５１ｂが開放され、極めて簡単に第二の物品８２を取り出すことができる。
【００４１】
さらには、第二支持部５により位置決めされる第二の物品８２が変形し易いものや、種類が変更される可能性がある場合であっても、支持片５１の自由端部５１ｂと第一の物品８１とが接触する面積を変更することにより、極めて容易に適した状態で位置決めし、その状態を維持することができる。
【００４２】
支持片５１の固定端にある折目線５２は、保持体１に設けることなく構成してもよく、このように構成すると、支持片５１と支持片５１の周辺の保持体本体２１による第二の物品８２の挟持状態がより安定する。
【００４３】
以上のように、複数の物品８１・８２・８３・８４の位置決めをする保持体１であって、保持体本体２１と、当該保持体本体２１に形成され、前記複数の物品８１・８２・８３・８４のうち第一の物品８１の位置決めをする第一支持部４と、一端部が前記保持体本体に固定される固定端部５１ａとされ、他端部が自由端部５１ｂとされる支持片５１を備え、当該支持片５１の周囲にある前記保持体本体２１とで前記複数の物品８１・８２・８３・８４のうち第二の物品８２を挟持して位置決めをする第二支持部５と、を備え、当該第二支持部５は、前記支持片５１と前記保持体本体２１とで前記第二の物品８２を位置決めした状態で、前記支持片５１の前記自由端部５１ｂが前記第一支持部４に位置決めされた前記第一の物品８１と接触することで、前記第二の物品８２を挟持した状態が維持される、ものである。
【００４４】
このように構成することで、極めて容易な構成であるにもかかわらず、第二の物品８２の位置決めが容易におこなえる。また、特別な固定手段を用いずとも第一の物品８１に接触させるだけで、第二の物品８２の挟持を解除する移動を阻止することができるため、第二の物品８２の位置決めが安定する。さらに、第二支持部には、複数の係止部を設けていないため、係止位置の選択を誤ることもない。また、支持片５１に位置決めされる物品が多種となる場合、その物品の大きさや形状に合わせることが容易である。
【００４５】
また、前記第二支持部５は、前記固定端部５１ａが前記第一支持部４よりも外側に形成され、前記自由端部５１ｂが前記第一支持部４に臨むように形成される、ものである。
【００４６】
このように構成することで、簡素な構造で、支持片５１を形成することができる。
【００４７】
また、前記第一支持部４は、前記保持体本体２１に打ち抜きにより形成される支持端部４１を有する、ものである。
【００４８】
このように構成することで、簡素な構造で、第一の物品８１を支持する構造を形成することができる。
【００４９】
また、前記保持体本体２１には、起立板である前起立板２２及び後起立板２３が設けられ、当該起立板（前起立板２２及び後起立板２３）を、前記第一支持部４の支持端部４１よりも下方へと折り曲げ、当該支持端部４１の下方に空間を形成する、ものである。
【００５０】
このように構成することで、支持端部４１による第一の物品８１の位置決めがより安定した状態となる。また、第一の物品８１の位置決めが安定することで、第一の物品８１により、第二支持部５が支持片５１と保持体本体２１とで位置決め状態が維持された第二の物品８２も安定した状態で位置決めすることができる。
【００５１】
以上、本考案の実施の形態について説明したが、本考案は上記実施の形態に限定されるものではなく、更に様々な変更が可能である。
【００５２】
図９及び図１０に示す別実施形態の保持体１０ように、支持片１５１は、その固定端である折目線１５２を保持体本体２１の後端縁である折目線３２上に形成している。また、支持片１５１は、折目線１５２の両端から第一支持部４と対向する側へと突出する逆Ｕ字状に切り込み１５３が形成されている。この切り込み１５３により、支持片１５１は、支持片１５１の一端である折目線１５２と対向する側（他端部）を自由端部１５４としている。
【００５３】
さらに、第二の物品８２を挟持して位置決めする際には、支持片１５１を折目線１５２で谷折りして自由端部１５４が第一支持部４側へと臨むように折り曲げ、保持体本体２１と支持片１５１とで第二の物品８２を挟持する。そして、保持体１と同様に、第一の物品８１が第一支持部４に位置決めされることで、支持片１５１の自由端部１５４が第一の物品８１と接触し、支持片１５１の第二の物品８２の挟持状態を解除する方向への移動を阻止する。つまり、支持片１５１の自由端部１５４が第一支持部４に位置決めされた第一の物品８１と接触することで、第二の物品８２を挟持した状態が維持される。
【００５４】
なお、支持片１５１の固定端である折目線１５２は、図９及び図１０に示すよりも支持端部４１側にあってもよい。支持片１５１の固定端には、折目線を設けない構成としてもよい。
【００５５】
以上のように、前記第二支持部５０は、前記固定端部（折目線１５２）が前記第一支持部４よりも外側に形成され、前記自由端部１５４が前記固定端部（折目線１５２）よりも前記第一支持部４から離して形成され、前記固定端部（折目線１５２）側を折り曲げ、前記自由端部１５４を前記第一支持部４に移動し、前記第二の物品８２を前記保持体本体２１と挟持する、ものである。
【００５６】
このように構成することで、簡素な構造でありながら、支持片１５１を形成することができる。
【符号の説明】
【００５７】
１      保持体
４      第一支持部
５      第二支持部
６      第三支持部
７      第四支持部
２１    保持体本体
２２    前起立板
２３    後起立板
２４    前底板
２５    後底板
３１    折目線
３２    折目線
３３    折目線
３４    折目線
４１    支持端部
５０    第二支持部
５１    支持片
５１ａ  固定端部
５１ｂ  自由端部
５２    折目線
５３    切り込み
６１    支持端部
７１    支持端部
７２    支持片
７３    折目線
８１    第一の物品
８２    第二の物品
８３    第三の物品
８４    第四の物品
９１    包装用容器
９２    包装用容器
１５１  支持片
１５２  折目線
１５３  切り込み
１５４  自由端部
Ｃ      矢印
【図１】
0003182586.tif 000003
【図２】
0003182586.tif 000004
【図３】
0003182586.tif 000005
【図４】
0003182586.tif 000006
【図５】
0003182586.tif 000007
【図６】
0003182586.tif 000008
【図７】
0003182586.tif 000009
【図８】
0003182586.tif 000010
【図９】
0003182586.tif 000011
【図１０】
0003182586.tif 000012